(57)【特許請求の範囲】
【請求項１】
水平部と垂直部とよりなる把持部が、飲料液が流通する複数本の流路を有し、任意に選択された流路に流れる飲料液のみを混ぜ合わせて吐出するハンドドラフト型飲料液供給装置であって、
流路に設けられた弁の開閉を行う飲料液選択部と、
飲料液選択部により選択された水、炭酸水、特殊液等の飲料液を混ぜ合わせて、吐出する混合ドームと、
を備え、前記流路が、水を流すための水流路と、
炭酸水を流すための炭酸水流路と、
特殊液を流すための特殊液流路と、を含み、
特殊液流路が炭酸水流路の外方に形成されており、
炭酸水流路内に水流路を有する中空円柱部が挿入されていることを特徴とするハンドドラフト型飲料液供給装置。
【請求項２】
炭酸水流路に炭酸水減速手段が設けられていることを特徴とする請求項１記載のハンドドラフト型飲料液供給装置。
【請求項３】
炭酸水減速手段が、中空円柱部の外周面に形成された微細な凹凸部であることを特徴とする請求項２記載のハンドドラフト型飲料液供給装置。
【請求項４】
前記水流路を有する突出通路体が中空円柱部の先端に取り付けられており、水流路の吐出口が放射状に分岐していることを特徴とする請求項１に記載のハンドドラフト型飲料液供給装置。
【請求項５】
前記中空円柱部が螺合により把持部に取り付けられていることを特徴とする請求項１に記載のハンドドラフト型飲料液供給装置。
【請求項６】
飲料液選択部が流路の開閉状態を制御するための弁と、各弁に接合される連結棒と、各連結棒の先端に取り付けられる切り替えボタンと、を備えることを特徴とする請求項１記載のハンドドラフト型飲料液供給装置。
【請求項７】
飲料液選択部が弁押しプレートをさらに備えることを特徴とする請求項４記載のハンドドラフト型飲料液供給装置。
【発明の詳細な説明】
【技術分野】
【０００１】
本発明は任意に選択された複数種の飲料液を、混ぜ合わせた状態で供給することができる飲料液供給装置に関する。
【背景技術】
【０００２】
今日において、ビヤホールやレストラン等の飲食店では、飲料液を提供する際に、飲料液供給装置を用いることが一般的となっている。
現在、普及している飲料液供給装置は、幾種類かの飲料液から選択して混合した飲料液を供給することができる。
すなわち飲料液供給装置には飲料液が入ったタンクが複数個接続されており、飲料液供給装置に設けられた切り替えボタンの１つを押すことで、その切り替えボタンに対応した飲料液の流路に設けられた弁のみが開放され、選ばれた飲料液が吐出される仕組みになっている。
そのため、利用者は、飲料液が入ったタンクから目的とする混合飲料液を自由に選択して吐出させることができる。
【０００３】
最近では、清涼飲料水、特に、コーラ等に代表される炭酸飲料の人気が高いことから、炭酸水をベースに他の飲料液を混ぜて供給する飲料液供給装置が広く使われている。
飲料液供給装置には据え置き形式のもの以外に、吐出する飲料液の種類を選択操作するための操作部と、飲料液を吐出する吐出部とが一体となり、手で持ち運び可能な程度に小型化されたものも存在する。
後者の飲料液供給装置は、一般にハンドドラフト型飲料液供給装置といわれている。
【０００４】
店員がハンドドラフト型飲料液供給装置を用いて飲料液を客に提供する場合、店員はハンドドラフト型飲料液供給装置を操作して、飲料液をその場で容器に供給すれば良い。
すなわち、ハンドドラフト型飲料液供給装置が用いられることにより、店員は従来のように飲料液の提供の度に据え置き形式の飲料液供給装置が置かれた場所に戻る必要がなくなる。
その結果、移動する距離、いわゆる歩線が減り、店員は効率的に客に対応することができるようになる。
そのため現在、数多くの客を収容するホール等を対象とする場合には、ハンドドラフト型飲料液供給装置が多く使用されている（特許文献１参照）。
【０００５】
このハンドドラフト型飲料液供給装置は、飲料液が充填された飲料液タンクと、店員（使用者）が持つ把持部とがフレキシブル管を介して連結されたものである。
そして、飲料液はフレキシブル管を通って、把持部内に形成された流路に流入し、その後、流路の吐出口に取り付けられたノズルから吐出されてコップ等の容器内へと供給される。
【特許文献１】特開２００２−８００９４号公報
【発明の開示】
【発明が解決しようとする課題】
【０００６】
ところで、最近、特に若者の間では、炭酸の強い清涼飲料水が好まれる傾向がある。
しかしながら、上記文献に示した従来のハンドドラフト型飲料液供給装置においては、炭酸水は大きな圧力が加えられた状態で吐出されるので、炭酸水の吐出時における流速は非常に大きい。
そのためいきなり大気中に吐出された炭酸水はノズルと衝突し、突然強い衝撃力を受ける。
その結果、炭酸水からは一挙に大量の炭酸が失われる。
従って、従来のハンドドラフト型飲料液供給装置には、必ずしも十分な炭酸を含有した炭酸水を供給できないという問題がある。
また、このハンドドラフト型飲料液供給装置は、飲料液を吐出部の中央から吐出するため、二種類以上の飲料液を同時に吐出する場合に、十分に混合された飲料液を供給することができないという欠点もある。
【０００７】
本発明は以上の課題を解決すべく開発されたものである。
すなわち、炭酸水から炭酸を極力失わせることなく、複数の飲料液を十分に混合させた状態で供給することができるハンドドラフト型飲料液供給装置を提供することを目的とする。
【課題を解決するための手段】
【０００８】
本発明者は、以上のような課題背景をもとに鋭意研究を重ねた結果、炭酸水と該炭酸水以外の飲料液の流路の配設関係を特別なものにすることによって、上記の課題を解決できることを見出し、その知見に基づいて本発明を完成させたものである。
【０００９】
すなわち本発明は、（１）、水平部と垂直部とよりなる把持部が、飲料液が流通する複数本の流路を有し、任意に選択された流路に流れる飲料液のみを混ぜ合わせて吐出するハンドドラフト型飲料液供給装置であって、流路に設けられた弁の開閉を行う飲料液選択部と、飲料液選択部により選択された水、炭酸水、特殊液等の飲料液を混ぜ合わせて、吐出する混合ドームと、を備え、前記流路が、水を流すための水流路と、炭酸水を流すための炭酸水流路と、特殊液を流すための特殊液流路と、を含み、特殊液流路が炭酸水流路の外方に形成されており、炭酸水流路内に水流路を有する中空円柱部が挿入されているハンドドラフト型飲料液供給装置に存する。
【００１２】
また本発明は、（２）、炭酸水流路に炭酸水減速手段が設けられている上記（１）記載のハンドドラフト型飲料液供給装置に存する。
【００１３】
また本発明は、（３）、炭酸水減速手段が、中空円柱部の外周面に形成された微細な凹凸部である上記（２）記載のハンドドラフト型飲料液供給装置に存する。
【００１４】
また本発明は、（４）、前記水流路を有する突出通路体が中空円柱部の先端に取り付けられており、水流路の吐出口が放射状に分岐している上記（１）に記載のハンドドラフト型飲料液供給装置に存する。
【００１５】
また本発明は、（５）、前記中空円柱部が螺合により把持部に取り付けられている上記（１）記載のハンドドラフト型飲料液供給装置に存する。
【００１６】
また本発明は、（６）、飲料液選択部が流路の開閉状態を制御するための弁と、各弁に接合される連結棒と、各連結棒の先端に取り付けられる切り替えボタンと、を備える上記（１）記載のハンドドラフト型飲料液供給装置に存する。
【００１７】
また本発明は、（７）、飲料液選択部が弁押しプレートをさらに備える上記（４）記載のハンドドラフト型飲料液供給装置に存する。
【００１８】
なお、本発明の目的に添ったものであれば上記の発明を適宜組み合わせた構成も採用可能である。
【発明の効果】
【００１９】
本発明のハンドドラフト型飲料液供給装置は、水を流すための水流路と、炭酸水を流すための炭酸水流路と、特殊液を流すための特殊液流路と、を含み、特殊液流路が炭酸水流路の外方に形成されている。
そのため、特殊液と炭酸水との混合状態が極めて良好となる。
【００２０】
炭酸水が流れる炭酸水流路に炭酸水減速手段が設けられているので、吐出時における炭酸水の流速を十分に遅くすることができる。  
その結果、炭酸水から過度の炭酸を奪うことなく、炭酸水をコップやグラス等の容器に供給することができる。
【００２１】
炭酸水減速手段が、中空円柱部の外周面に形成された微細な凹凸部であった場合、簡単な構造で、且つ炭酸水を効率よく減速させることができる。
【００２２】
水流路を有する突出通路体が中空円柱部の先端に取り付けられ、水流路の吐出口が放射状に分岐している場合、特殊液流路の吐出口を洗浄することができる。
【００２３】
中空円柱部が螺合により把持部に取り付けられている場合、中空円柱部の先端に形成された突出通路体と、把持部の垂直部との間に形成される間隙の大きさを容易に調整することができる。
【発明を実施するための最良の形態】
【００２４】
本発明の一実施形態を、図面を用いて説明する。
図１は、本実施形態のハンドドラフト型飲料液供給装置を示す説明図である。
図１に示すように、本実施形態のハンドドラフト型飲料液供給装置Ａは、使用者が手で掴む部分である把持部１を備えている。
また、ハンドドラフト型飲料液供給装置Ａは、把持部１内に形成された複数の流路から同時に吐出された飲料液を、混ぜ合わせながら吐出するための混合ドーム２を備えている。
更に、把持部１は各流路に設けられた弁の開閉を制御する飲料液選択部１１を備える。
また、ハンドドラフト型飲料液供給装置Ａは、それぞれの流路に接続されるフレキシブル管と、飲料液タンク５に接続される連結管Ｒと、を連結するための連結部４と、を備える。
【００２５】
流路に接続された複数本のフレキシブル管は、束ねられた状態でカバー３に覆われている。
飲料液タンク５に充填される飲料液の種類は特に限定されるものではなく、水、炭酸水、ビール、焼酎、清涼飲料水の原液等が充填される。
飲料液タンク５は、圧力源６と連結しており、飲料液タンク５内の飲料液は圧力源６の中に充填されている炭酸ガスによって、連結管Ｒを介して把持部内の流路１２へ圧送される。
【００２６】
図２は、把持部の拡大断面図である。
図２に示すように、把持部１はＬ字状に形成されており、水平部と垂直部とを有する。
把持部１には複数本の流路１２が水平部及び垂直部に沿ってＬ字状に形成されている。
各流路１２は把持部１の形状に沿ってＬ字状に形成されているため、それらの吐出口は下方に向いており、把持部１を握った状態のまま飲料液をコップやグラス等の容器へ容易に供給することができる。
なお、本実施形態のハンドドラフト型飲料液供給装置Ａの場合、流路１２は把持部１の材料を貫通して形成されている。
【００２７】
垂直部の先端には流路１２から吐出された飲料液を混合させるための混合ドーム２が取り付けられている。
混合ドーム２は中空の先細りドーム形状で、垂直部の先端に図示しないＯ−リング等を介して取り付けられる。
【００２８】
本実施形態のハンドドラフト型飲料液供給装置Ａにおいて、流路１２はそこを流れる飲料液の種類によって三種類に分類される。
一種類目が炭酸水が流れる炭酸水流路１２Ａ、二種類目が水が流れる水流路１２Ｂ、三種類目が炭酸及び水以外の飲料液（以下、「特殊液」という）が流れる特殊液流路１２Ｃである。
【００２９】
また、このハンドドラフト型飲料液供給装置Ａにおいては、炭酸水流路１２Ａ及び水流路１２Ｂはそれぞれ一本ずつしか形成されないが、特殊液流路１２Ｃは複数本（図面では４本）形成される。
図３は、図２のＡ−Ａ断面図である。  炭酸水流路１２Ａの吐出口１２Ａ１は、把持部１の先端面の中央に形成されている。
すなわち、炭酸水流路１２Ａは水平部及び垂直部において中央に形成され、垂直部の下面にある吐出口１２Ａ１から大気に開放されている。
また、特殊液流路１２Ｃの吐出口１２Ｃ１は、把持部の先端面で炭酸水流路１２Ａの周囲に等間隔で形成されている。
すなわち、特殊液流路１２Ｃは、水平部及び垂直部において炭酸水流路１２Ａの周囲に等間隔で形成され、垂直部の下面にある吐出口１２Ｃ１から大気に開放されている。
【００３０】
垂直部における炭酸水流路１２Ａの管径は、他の流路の管径よりも太く形成されており、炭酸水流路１２Ａの内側には中空円柱部１３（この中には水通路１２Ｂが形成されている）が挿入されている。
この中空円柱部１３は、水流路１２Ｂを形成する把持部１内の壁部に螺合により取り付けられ挿入配置される。
中空円柱部１３が炭酸水流路１２Ａの垂直部に挿入されることにより、垂直部における炭酸水流路１２Ａの形状は環状流路（詳しくは、中空円柱部１３の外周面と炭酸水流路１２Ａの内周面とで形成される断面環状の隙間）となる。
【００３１】
中空円柱部１３が水流路部に螺合により取り付けられていることから、そのねじ込み度合いを変えることにより、後述する突出通路体１３Ａと垂直部との間に形成される間隙Ｓの大きさを調整することができる。
また、中空円柱部１３を取り外して突出通路体１３Ａや垂直部の下面のクリーニングが容易に行える利点もある。
【００３２】
ところで、炭酸水流路１２Ａには炭酸水の流速を低下させるための炭酸水減速手段が設けられている。
炭酸水減速手段は、中空円柱部１３の外周面に微細な凹凸部１３Ｂを付与してなる。
飲料液タンク５から送られてくる炭酸水は、狭い断面環状の流路を流れる間に微細凹凸部１３Ｂに接触して移動するため、その抵抗力により流速が急激に低下する。
【００３３】
中空円柱部１３の下端には，截頭円錐形状の突出通路体１３Ａが、一体に設けられている。
この突出通路体１３Ａには水流路１２Ｂが放射状に延長形成されている。
また、この突出通路体１３Ａと垂直部の下端との間には間隙Ｓが形成される。
そして、突出通路体１３Ａの外径は、炭酸水流路１２Ａの吐出口１２Ａ１の内径よりも大きい。
そのため、炭酸水流路１２Ａの吐出口１２Ａ１から吐出された炭酸水は、一旦、突出通路体１３Ａに衝突し、その後間隙Ｓから外方向に放射状に吹き出す。
【００３４】
図４は、飲料液選択部の拡大断面図である。
飲料液選択部１１は、把持部１内に形成された流路１２に設けられた弁を、選択的に開閉するものである。
本実施形態の飲料液選択部１１は封止弁１１Ａと、連結棒１１Ｂと、切り替えボタン１１Ｃと、支持部材１１Ｄと、を備える。
【００３５】
封止弁１１Ａは、連結棒１１Ｂに設けられており、該連結棒１１Ｂは図示しない付勢手段によって上向きの付勢力が加えられている。
このことにより、封止弁１１Ａは、通常時、上方に持ち上げられ、流路１２を塞いでいる。
なおこのとき、連結棒１１Ｂの先端部は把持部１の上面から突出している。
【００３６】
切り替えボタン１１Ｃはこれに接する連結棒１１Ｂを押し下げ易くするためのもので、押し盤１１Ｃ１と補助盤１１Ｃ２とよりなる２重頭状の形を有し、連結棒１１Ｂより太径である。
切り替えボタン１１Ｃは、把持部１に設けられた支持部材１１Ｄに上下移動可能に取り付けられている。
なお、支持部材１１Ｄは、把持部１から一定距離離れて取り付けられている。
切り替えボタン１１Ｃが押し下げられると、それに接している連結棒１１Ｂは、同様に押し下げられる。
【００３７】
次に、各飲料液が混合ドームから吐出される態様について述べる。
図５は、炭酸水流路に設けられた封止弁に接触する切り替えボタンが押下されたときの状態を模式的に示した拡大断面図である。
図６は、水流路に設けられた封止弁に接触する切り替えボタンが押下されたときの状態を模式的に示す拡大断面図であり、（ａ）は切り替えボタンが押下される前を示し、（ｂ）は切り替えボタンが押下された後を示す。
図７は、特殊液流路に設けられた封止弁に接触する切り替えボタンが押下されたときの状態を模式的に示す拡大断面図であり、（ａ）は切り替えボタンが押下される前を示し、（ｂ）は切り替えボタンが押下された後を示す。
なお、図５、図６及び図７の各図における破断位置は、把持部１０の幅方向にそれぞれずれている。
【００３８】
図５に示すように、切り替えボタン１１Ｃが押下されると、連結棒１１Ｂを押し下げるので、それに伴い封止弁１１Ａも下方に押し下げられる。その結果、炭酸水流路１２Ａがフレキシブル管と連通する。
【００３９】
炭酸水流路１２Ａがフレキシブル管と連通すると、飲料液タンク５に充填されていた炭酸水が、圧力源６に充填されていた炭酸ガスによって飲料液タンク５から押し出され、炭酸水流路１２Ａへ流入する。
【００４０】
炭酸水流路１２Ａへ流入した炭酸水は、炭酸水流路１２Ａの垂直部に設けられた炭酸水減速手段である中空円柱部１３の表面の微細な凹凸部１３Ｂに衝突して大幅に減速し、吐出口１２Ａ１から吐出される。
【００４１】
吐出口１２Ａ１から吐出された炭酸水は、吐出口１２Ａ１の極近傍に位置する突出通路体１３Ａに当たり、垂直部と突出通路体１３Ａとの間に形成された間隙Ｓから放射状に吹き出す。
吹き出した炭酸水は混合ドーム２の内壁面に衝突し、そのまま内壁面を伝って注出口２１から容器に注がれる。
【００４２】
このように、炭酸水を減速させて吐出させることで、大気中における混合ドーム２との衝突エネルギーの大きさを低減させることができる。
その結果、炭酸水から炭酸を極力失わせることなく容器へ注ぐことができる。
【００４３】
また、炭酸水を放射状に飛散させることで、特殊液流路１２Ｃの吐出口１２Ｃ１が洗浄される。
すなわち、最初の飲料液の供給から次の飲料液の供給までに大きく時間が空く場合、特殊液流路１２Ｃの吐出口１２Ｃ１に特殊液が付着して固化することがある。
しかしながら、このように、炭酸水を放射状に吹き出させることで、全ての特殊液流路１２Ｃの吐出口１２Ｃ１に吹き付け力を作用させ、固化した特殊液を溶かして流すことができるのである。
【００４４】
図６（ａ）に示された通常の状態から、図６（ｂ）に示すように、切り替えボタン１１Ｃが押下されると、封止弁１１Ａが押し下げられて水流路１２Ｂが開放され、飲料液タンク５から水が流入する。
【００４５】
水流路１２Ｂに流入した水は中空円柱部１３内へと流入する。
その後、水は突出通路体１３Ａ内を流れ、突出通路体１３Ａに形成された吐出口１２Ｂ１から放射状に吐出される。
放射状に吐出された水は、混合ドーム２の内壁面に衝突し、そのまま内壁面に沿って注出口２１から容器に注がれる。
【００４６】
図７（ａ）に示された通常の状態から、図７（ｂ）に示すように、切り替えボタン１１Ｃが押下されると、上記と同様に封止弁１１Ａが押し下げられ特殊液流路１２Ｃが開放され飲料液タンク５から特殊液が流入する。
【００４７】
特殊液流路１２Ｃへ流入した特殊液は、垂直部に形成された特殊液流路１２Ｃの吐出口１２Ｃ１から吐出される。吐出された特殊液は、混合ドーム２の内壁面に衝突し、そのまま内壁面に沿って注出口２１から容器に注がれる。
【００４８】
そして、水の切り替えボタン１１Ｃと、特殊液の切り替えボタン１１Ｃとが同時に押された場合には、吐出された水が下方に吐出された特殊液を混合ドーム２の内壁面方向に叩きつけるように作用するので、二つの液体は確実に混合される。
【００４９】
ところで、本実施形態のハンドドラフト型飲料液供給装置を用いて、ある特定の飲料液と、その他の飲料液とを常に同時に吐出させたい場合は、飲料液選択部１１に弁押しプレート１４が取り付けられたものが用いられる。
【００５０】
図８は、弁押しプレートを示す説明図であり、（ａ）は正面図で、（ｂ）は側面図である。
図８に示すように、弁押しプレート１４は複数の貫通孔１４Ｂ（図面では３個）が形成された板状部材１４Ａと、板状部材１４Ａの周縁に形成される複数の球状の支え部１４Ｃ（図面では６個）と、からなる。
【００５１】
図９は、弁押しプレートが、飲料液選択部に取り付けられた状態を示す拡大断面図である。
図１０は、図９のＡ−Ａ断面図である。
図１１は、弁押しプレートが取り付けられた飲料液選択部の切り替えボタンが押下されたときの状態を示す拡大断面図である。
図１２は、図１１のＡ−Ａ断面図である。
なお、図９〜図１２においては、図１〜図７で示した要素と同一の要素について符号を付す場合であっても、説明の都合上便宜的に異なる符合を付した。
【００５２】
また、図９及び図１１の中央に描かれた特定流路Ｘは、紙面奥側から紙面手前側に向かって形成されているものとする。
また、流路Ｙも紙面奥側から紙面手前側に向かって形成されているものとする。
さらに、一番左側に描かれた流路から順に手前に形成されているものとする。
【００５３】
図９、図１０に示すように、弁押しプレート１４は常に吐出させたい飲料液が流れる流路Ｘ（以下、「特定流路」という）に設けられた封止弁１５Ａに連結された連結棒１５Ｂと、それを押すための切り替えボタン１５Ｃとの間に取り付けられる。
【００５４】
弁押しプレート１４が取り付けられる際、支え部１４Ｃが把持部１に形成された半球状の凹部１７に支持される。
そのため後述するように、弁押しプレート１４が傾斜した状態になった際に、弁押しプレート１４の取り付け位置がずれない。
【００５５】
弁押しプレート１４が取り付けられると、特定流路Ｘの連結棒１５Ｂ及び切り替えボタン１５Ｃは、弁押しプレート１４に当接した状態になる。
なお連結棒１５Ｂが上方に付勢されているので、弁押しプレート１４は連結棒１５Ｂに支えられて水平状態を保っている。
【００５６】
一方このとき、封止弁１６Ａに連結している連結棒１６Ｂは、弁押しプレート１４に接触せずに、弁押しプレート１４に形成された貫通孔１４Ｂに入り込んだ状態にある。
【００５７】
弁押しプレートが飲料液選択部に取り付けられた状態で、流路Ｙ（特定流路Ｘ以外の流路を指す）の切り替えボタン１６Ｃが押下されると、図１１に示すように、封止弁１６Ａは切り替えボタン１６Ｃによって連結棒１６Ｂを介して押し下げられる。
その結果、飲料液が流路Ｙを流れる。
【００５８】
またこのとき、貫通孔１４Ｂの直径は補助板１６Ｃ２の直径より小さく形成されているため、切り替えボタン１６Ｃが押下されると、補助盤１６Ｃ２が貫通孔１４Ｂの周縁を押し下げ、支え部１４Ｃを支点として弁押しプレート１４を傾斜させる（図１２参照）。
【００５９】
弁押しプレート１４が傾斜すると、弁押しプレート１４に当接していた連結棒１５Ｂは弁押しプレート１４によって下方に押し下げられ、特定流路Ｘにも飲料液が流れる。
そして、特定流路Ｘを流れる飲料液と、流路Ｙを流れる飲料液とは混合ドーム２で混合されて、注出口２１から吐出される。
【００６０】
そして、切り替えボタン１６Ｃが押下された状態から解放されると、弁押しプレート１４は連結棒１５Ｂの付勢力によって元の水平な状態に戻る。
【００６１】
なお、特定流路Ｘの切り替えボタン１５Ｃが押下された場合は、切り替えボタン１５Ｃに当接する弁押しプレート１４が連結棒１５Ｂを介して封止弁１５Ａを押し下げるので、特定流路Ｘに飲料液が流れるが、流路Ｙの連結棒１６Ｂは弁押しプレート１４に形成されている貫通孔１４Ｂに入り込んでいるため、弁押しプレート１４は傾斜しても連結棒１６Ｂを押し下げることができず、結果、流路Ｙには飲料液が流れない。
【００６２】
以上、本発明を説明してきたが、本発明は実施の形態に限定されることなく種々の変形例が可能である。
例えば、炭酸水減速手段は、中空円柱部の外周面に形成された微細な凹凸部に限らず、炭酸水を減速できるものである限り採用可能である。
【図面の簡単な説明】
【００６３】
【図１】図１は、本実施形態のハンドドラフト型飲料液供給装置を示す説明図である。
【図２】図２は、把持部の拡大断面図である。
【図３】図３は、図２のＡ−Ａ断面図である。
【図４】図４は、飲料液選択部の拡大断面図である。
【図５】図５は、炭酸水流路に設けられた封止弁に接触する切り替えボタンが押下されたときの状態を模式的に示した拡大断面図である。
【図６】図６は、水流路に設けられた封止弁に接触する切り替えボタンが押下されたときの状態を模式的に示す拡大断面図であり、（ａ）は切り替えボタンが押下される前を示し、（ｂ）は切り替えボタンが押下された後を示す。る。
【図７】図７は、特殊液流路に設けられた封止弁に接触する切り替えボタンが押下されたときの状態を模式的に示す拡大断面図であり、（ａ）は切り替えボタンが押下される前を示し、（ｂ）は切り替えボタンが押下された後を示す。
【図８】図８は、弁押しプレートを示す説明図であり、（ａ）は正面図で、（ｂ）は側面図である。
【図９】図９は、弁押しプレートが飲料液選択部に取り付けられた状態を示す拡大断面図である。
【図１０】図１０は、図９のＡ−Ａ断面図である。
【図１１】図１１は、弁押しプレートが取り付けられた飲料液選択部の切り替えボタンが押下されたときの状態を示す拡大断面図である。
【図１２】図１２は、図１１のＡ−Ａ断面図である。
【符号の説明】
【００６４】
１・・・把持部
１１・・・飲料液選択部
１１Ａ・・・封止弁
１１Ｂ・・・連結棒
１１Ｃ・・・切り替えボタン
１１Ｃ１・・・押し盤
１１Ｃ２・・・補助盤
１１Ｄ・・・支持部材
１２・・・流路
１２Ａ・・・炭酸水流路
１２Ａ１・・・炭酸水流路の吐出口
１２Ｂ・・・水流路
１２Ｂ１・・・水流路の吐出口
１２Ｃ・・・特殊液流路
１２Ｃ１・・・特殊液流路の吐出口
１３・・・中空円柱部
１３Ａ・・・突出通路体
１３Ｂ・・・凹凸部
１４・・・弁押しプレート
１４Ａ・・・板状部材
１４Ｂ・・・貫通孔
１４Ｃ・・・支え部
１５Ａ・・・封止弁
１５Ｂ・・・連結棒
１５Ｃ・・・切り替えボタン
１６Ａ・封止弁
１６Ｂ・・・連結棒
１６Ｃ・・・切り替えボタン
１６Ｃ２・・・補助盤
２・・・混合ドーム
２１・・・注出口
３・・・カバー
４・・・連結部
５・・・飲料液タンク
６・・・圧力源
Ａ・・・ハンドドラフト型飲料液供給装置
Ｒ・・・連結管
Ｓ・・・間隙
Ｘ・・・特定流路
Ｙ・・・特定流路以外の流路
【図１】
0004925326.tif 000002
【図２】
0004925326.tif 000003
【図３】
0004925326.tif 000004
【図４】
0004925326.tif 000005
【図５】
0004925326.tif 000006
【図６】
0004925326.tif 000007
【図７】
0004925326.tif 000008
【図８】
0004925326.tif 000009
【図９】
0004925326.tif 000010
【図１０】
0004925326.tif 000011
【図１１】
0004925326.tif 000012
【図１２】
0004925326.tif 000013